(57)【要約】【課題】  本発明は、洗面ボウルとキャビネット前面の間に使い勝手が良く、なおかつ清掃性に優れた収納部を設けた洗面化粧台を提供することを目的としている。【解決手段】  キャビネットと、前記キャビネット上に載置される洗面ボウルと、前記キャビネット前面上方に幕板を備えた洗面化粧台であって、前記幕板の前記キャビネット内側に収納部と、前記収納部と前記キャビネット内空間を区切るついたてを有し、前記幕板は、丁番によって、前記収納部の開口を閉じる起立状態から上方を開口するように開閉可能に設けられており、前記収納部の横幅は前記キャビネットの内幅と略同一であることを特徴とする洗面化粧台【選択図】  図２
2010115468.tif 000002
【特許請求の範囲】
【請求項１】
キャビネットと、
前記キャビネット上に載置される洗面ボウルと、
前記キャビネット前面上方に幕板を備えた洗面化粧台であって、
前記幕板の前記キャビネット内側に収納部を有し、
前記幕板は、丁番によって、前記収納部の開口を閉じる起立状態から上方を開口するように開閉可能に設けられており、
前記収納部の横幅は前記キャビネットの内幅と略同一であることを特徴とする洗面化粧台
【請求項２】
前記幕板のうち、片方の端部に開度調整用のステーを取り付けていることを特徴とする請求項２に記載の洗面化粧台。
【請求項３】
前記収納部は、前記幕板と着脱可能に係止されていることを特徴とする請求項１乃至２の何れか一つに記載の洗面化粧台。
【請求項４】
前記収納部は、防水性の素材から成ることを特徴とする請求項１乃至３の何れか一つに記載の洗面化粧台。
【請求項５】
前記収納部は前記幕板と前記丁番の上方に配置される第一の収納部と、
第一の収納部よりも深い第二の収納部とからなることを特徴とする請求項１乃至４の何れか一つに記載の洗面化粧台。
【請求項６】
前記収納部は、前記幕板と特定方向でのみ係止可能であり、
前記収納部の一方向に取っ手を設けていることを特徴とする請求項１乃至５の何れか一つに記載の洗面化粧台。
【請求項７】
前記幕板には、開閉のためにライン状の取っ手が設けられていることを特徴とする請求項１乃至６の何れか一つに記載の洗面化粧台。
【請求項８】
前記丁番は、スライド丁番とすることを特徴とする請求項１乃至７の何れか一つに記載の洗面化粧台。
【発明の詳細な説明】
【技術分野】
【０００１】
本発明は、洗面ボウルとキャビネット前面の間に使い勝手がよく、清掃性も優れた収納を設けた洗面化粧台に関する。
【背景技術】
【０００２】
一般的な洗面化粧台にあっては、洗面ボウルの前方を覆うようにキャビネット前面の上部に幕板が設置されており、この幕板より下部のキャビネット前面を開閉式扉とすることで、幕板後方部を除くキャビネット内空間を収納空間として利用している。
【０００３】
また、一般的には収納空間として利用されていない幕板後方部の空間を収納空間として利用とする発明がしられている。（特許文献１、特許文献２）
【０００４】
例えば、特許文献１に示されている洗面化粧台においては、洗面ボウルと幕板の間の空き空間に薄型の小物品収納が設けられている。
【０００５】
また、特許文献２に示されている洗面化粧台においては、やはり洗面ボウルと幕板の間の開き空間に収納部もしくは引き出しが設けられている。
【先行技術文献】
【特許文献】
【０００６】
【特許文献１】実用新案登録第３１４４７６０号
【特許文献２】特開２００７−１４３６４６号公報
【発明の概要】
【発明が解決しようとする課題】
【０００７】
しかしながら、洗面化粧台の幕板は通常、使用者の腰の高さに位置することが多く、この部分に収納を特許文献２に記載されたような収納空間を設けた場合、使用者の多くは屈んで収納物を取り出す必要があり、非常に使い勝手が悪い。
また、幕板部分は洗面ボウル使用時に、はねる水などで汚れやすい部分であるため、木製の抽斗などを設けた場合に清掃性が課題となる。
【課題を解決するための手段】
【０００８】
本発明の一態様によれば、キャビネットと、前記キャビネット上に載置される洗面ボウルと、前記キャビネット前面上方に幕板を備えた洗面化粧台であって、前記幕板の前記キャビネット内側に収納部を有し、前記幕板は、丁番によって、前記収納部の開口を閉じる起立状態から上方を開口するように開閉可能に設けられており、前記収納部の横幅は前記キャビネットの内幅と略同一であることを特徴とする洗面化粧台を提供する。
【発明の効果】
【０００９】
上記のような課題を解決するための本発明によれば、洗面ボウルとキャビネット幕板の間に使い勝手が良く、なおかつ清掃性に優れた収納部を設けることが可能となる。
【図面の簡単な説明】
【００１０】
【図１】本発明の実施例に係る洗面化粧台１の斜視図
【図２】本実施例に係るキャビネット部３前面の断面図
【図３】本実施例に係るキャビネット部３前面の上面図
【図４】スライド式のステー６
【図５】幕板４の開閉時の動作を示す断面図
【図６】幕板４を開けたときの構造を示す断面図
【図７】トレイ９が着脱可能に設けられる幕板４の断面図
【図８】幕板４に着脱可能に設けられるトレイ９の断面図
【図９】幕板４に着脱可能に設けられるトレイ９の下面図
【図１０】トレイ９が着脱可能に設けられる幕板４の上面図
【図１１】幕板４とトレイ９の係合の様子
【図１２】丁番８の上にトレイ９ｂが設けられたキャビネット部３前面の断面図
【図１３】本発明の別の実施例を示す断面図
【発明を実施するための形態】
【００１１】
以下、図面を用いて本発明の一実施例について詳細な説明を行う。
【００１２】
図１は洗面化粧台１を斜め上方から見た図である。
洗面化粧台１は内部に物を収納することで出来るキャビネット部３と、このキャビネット部３に載置される洗面ボウル部２と、左右に備わる側板５と、キャビネット部３の前面上方に位置し、キャビネット部３と略同等幅の幕板４を備えている。
さらに、幕板４は裏面にはトレイ９、ステー６を有し、丁番８により開閉可能となっており、前面には幕板４の全幅にわたり取っ手１５が設けられている。
【００１３】
次に、図２にキャビネット部３前面の断面図を示す。
キャビネット部３の前面に設けられた幕板４の上部には、幕板４の幅と略同等幅の取っ手１５が備えられている。取っ手１５は幕板４上部にライン状取っ手として設けてもよいし、幕板４前面に設けたグリップ取っ手などとしてもよい。幕板４と係止部１０に設けられた隙間により、トレイ９の係止受け部１１を係合させている。横桟１３には、丁番８が取り付けられており、丁番８の軸により回転方向に開閉可能になる。丁番８はスライド丁番とすることで、チリ調整が可能になり、他扉などとの段差についても調整することができる。スライド丁番は、ワンタッチ着脱式のものでもよい。丁番８は、幕板４の片側に設けてもよいし、両側に設けてもよい。また、横桟１３のキャビネット部３内側方向にはついたて１８が設けられている。横桟１３へのついたて１８の取付はネジ、釘、両面テープなど、ついたて１８を保持できるものであれば何を使用してもよい。これにより、トレイ９に収納された物品がキャビネット部３の内側へ落下することを防止すると共に、幕板４を開放した場合でもキャビネット部３内部が外部へ露呈することなく、美観を保つことが可能となる。
【００１４】
図３は、幕板４を上面から見た図である。
幕板４の裏面には、ほぼ均等に配置された係止部１０が複数箇所設けてある。本実施例において係止部１０は樹脂でできており幕板４にネジにより固定されているが、係止部１０は樹脂でもよいし、金属でもよい。また、係止部１０の固定は、木ネジにより直接幕板４に取り付けてもよいし、幕板４にブッシュを埋め込み、ネジなどで取り付けてもよい。
ステー６は幕板の片側に設けられ、幕板４は開閉軸となる丁番８を備えている。ステー６と反対側の幕板４端及び対応するキャビネット部３の側板５にはマグネットキャッチ１４があり、幕板４は閉止位置においてこのマグネットの力によって保持される。ステー６とマグネットキャッチの幕板４への取り付け位置は、左右を入替えてもよい。ステー６、マグネットキャッチ１４は両側に設けてもよい。
【００１５】
図４にステー６の取り付けを示す。ステー６の一端は、幕板４裏面の端の方にブッシュを埋め込み、ネジにより固定される。ステー６の逆端はキャビネット部３の側板５にネジにより固定される。幕板４はキャビネット部３の横桟７と接続する丁番８と、キャビネット部３の側板５と接続するステー６とにより開閉可能に接続されている。ステー６にはスライドの摩擦を調整するための調整機構が設けられている。ステー６はスライド式でもよいし、折りたたみ式でもよい。ステー６の取り付けと反対側の側板には、マグネットキャッチ１４がネジにより固定してある。
【００１６】
図５は、幕板４の開閉動作を示す図である。
幕板４を開ける際には、開方向に引くとマグネットキャッチ１４が解除され、横桟７に取り付けられた丁番８の軸を中心に回転する。ステー６は、摩擦を調整する機構がついているので、スムーズに開けることができる。幕板４に取り付けられたトレイ９は、開閉する際に横桟１３や洗面ボウル部２と干渉することのないように隙間を設けて配置されている。幕板４が閉まっている時には、マグネットキャッチ１４により幕板４が自重により開口しないように保持される。
【００１７】
図６に示したのは幕板４が開いた状態の断面図である。ステー６により開度を規制することが出来るが、本実施例において最大開度は約４５°にしている。これは、収納物を上から見やすく、また取り出しやすい角度となっている。
【００１８】
図７はトレイ９が着脱可能に設けられる幕板４の断面構造である。トレイ９を幕板４から取り外す際には幕板４を開けた状態で、トレイ９に設けられたツマミ１２をつかみ、係止受け部１１が係止部１０を乗り越える位置まで、幕板４に対し水平方向にスライドさせて引き出す。係止受け部１１が係止部１０を乗り越える位置までは、取り外しの際に取っ手に引っかからないように取っ手１５と隙間をもたせてある。
【００１９】
トレイ９を取り付ける際は、幕板４を開けた状態で、トレイ９に設けられたツマミ１２をつかみ、係止受け部１１を係止部１０にひっかけて係合する。
【００２０】
幕板４の内部には、小物入れ用のトレイ９が着脱可能に取り付けられている。このトレイ９の断面構造を図８に示す。トレイ９は、左右の上面に設けられ、前面に近いほうに位置するツマミ１２と、裏面には脚部１６と、前面には係止受け部１１と背面には逆止め防止突部１７を備えている。
なお、このトレイ９は樹脂製であり、取り外した状態で丸洗いすることが可能である。
【００２１】
図９は、トレイ９を正面から見た図である。トレイ９の前面には係止受け部１１を備え、係止受け部１１の両端には、係止受け部突部１１ａと係止受け部突部１１ｂが設けられ、背面には逆止め防止突部１７がある。係止部１０は、トレイ９の係止受け部１１の両端に設けられた、係止受け部突部１１ａと係止受け部突部１１ｂの間に係合される。
図１０は、トレイ９を下面から見た図である。トレイ９の裏面には脚部１６が４ヶ所設けてある。これにより、トレイ９を内容物ごと幕板４から取り外して、洗面ボウル部２の物置スペースなどに置くことができる。
図１１は、幕板４とトレイ９の係合の様子を示した図である。トレイ９は、幕板４に取り付けられた状態で、ツマミ１２は前面に近いほうに位置する。こうすることにより、使用者に見えやすく、つかみやすくしている。また、トレイ９前面に設けられた係止受け部１１と、トレイ９背面に設けられた逆止め防止突部１７により、間違って前後反対に取付けることのないようにしてある。
【００２２】
図１２は、丁番８の上にトレイ９が設けられたキャビネット部３前面の断面図である。
トレイ９はその深さにより二種類にわけられ、丁番８上に位置するトレイ９ｂは、丁番８を避けるために浅くなっている。一方、トレイ９ａはトレイ９ｂより深く、横桟７に当たらないような深さとなっている。取り付け時には、トレイ９ａとトレイ９ｂの上面が、同じ高さになるような配置となっている。
【００２３】
図１３は、本発明の別の実施形態を示す図であり、プッシュラッチ１９を設けたキャビネット部３の前面の断面図である。
プッシュラッチ１９は側板５に取り付けられ、幕板４を押すことでプッシュラッチ１９を動作させて、幕板４を開閉することができる。プッシュラッチ１９を使用することで取っ手１５を設けなくてもよいので、部品を減らすことができ、外観の意匠性も向上する。また、肘などで幕板４を押すことで、濡れた手で幕板４に触れる必要がなくなる。
【００２４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、着脱可能にとりつけた収納部の数は図示したものに限らずいくつでもよいし、一つでもよい。また、着脱可能でなくてもよい。さらに、洗面ボウルやキャビネットなどの形状も図示したものに限らず、技術的に可能な範囲で変更することが出来る。
【符号の説明】
【００２５】
１  洗面化粧台
２  洗面ボウル部
３  キャビネット部
４  幕板
５  側板
６  ステー
７  横桟
８  丁番
９  トレイ
９ａ  トレイａ
９ｂ  トレイｂ
１０  係止部
１１  係止受け部
１１ａ  係止受け部突部ａ
１１ｂ  係止受け部突部ｂ
１２  ツマミ
１３  横桟
１４  マグネットキャッチ
１５  取っ手
１６  脚部
１７  逆止め防止突部
１８  ついたて
１９  プッシュラッチ
【図１】
2010115468.tif 000003
【図２】
2010115468.tif 000004
【図３】
2010115468.tif 000005
【図４】
2010115468.tif 000006
【図５】
2010115468.tif 000007
【図６】
2010115468.tif 000008
【図７】
2010115468.tif 000009
【図８】
2010115468.tif 000010
【図９】
2010115468.tif 000011
【図１０】
2010115468.tif 000012
【図１１】
2010115468.tif 000013
【図１２】
2010115468.tif 000014
【図１３】
2010115468.tif 000015
【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
キャビネットと、
前記キャビネット上に載置される洗面ボウルと、
前記キャビネット前面上方に幕板を備えた洗面化粧台であって、
前記幕板の前記キャビネット内側に収納部を有し、
前記幕板は、丁番によって、前記収納部の開口を閉じる起立状態から上方を開口するように開閉可能に設けられており、
前記収納部は前記丁番の上方に配置される第一の収納部と、
前記第一の収納部よりも深い第二の収納部とからなることを特徴とすることを特徴とする洗面化粧台
【請求項２】
前記幕板のうち、片方の端部に開度調整用のステーを取り付けていることを特徴とする請求項２に記載の洗面化粧台。
【請求項３】
前記収納部は、前記幕板と着脱可能に係止されていることを特徴とする請求項１乃至２の何れか一つに記載の洗面化粧台。
【請求項４】
前記収納部は、防水性の素材から成ることを特徴とする請求項１乃至３の何れか一つに記載の洗面化粧台。
【請求項５】
前記収納部は、前記幕板と特定方向でのみ係止可能であり、
前記収納部の一方向に取っ手を設けていることを特徴とする請求項１乃至４の何れか一つに記載の洗面化粧台。
【請求項６】
前記幕板には、開閉のためにライン状の取っ手が設けられていることを特徴とする請求項１乃至５の何れか一つに記載の洗面化粧台。
【請求項７】
前記丁番は、スライド丁番とすることを特徴とする請求項１乃至６の何れか一つに記載の洗面化粧台。
【手続補正２】
【補正対象書類名】明細書
【補正対象項目名】０００８
【補正方法】変更
【補正の内容】
【０００８】
本発明の一態様によれば、キャビネットと、前記キャビネット上に載置される洗面ボウルと、
前記キャビネット前面上方に幕板を備えた洗面化粧台であって、前記幕板の前記キャビネット内側に収納部を有し、前記幕板は、丁番によって、前記収納部の開口を閉じる起立状態から上方を開口するように開閉可能に設けられており、前記収納部は前記丁番の上方に配置される第一の収納部と、前記第一の収納部よりも深い第二の収納部とからなることを特徴とすることを特徴とする洗面化粧台を提供する。
【手続補正３】
【補正対象書類名】明細書
【補正対象項目名】００２４
【補正方法】変更
【補正の内容】
【００２４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、着脱可能にとりつけた収納部の数は図示したものに限らずいくつでもよい。また、着脱可能でなくてもよい。さらに、洗面ボウルやキャビネットなどの形状も図示したものに限らず、技術的に可能な範囲で変更することが出来る。